(57)【要約】 【課題】本発明は、スイング中揺動し易い補助グリップをゴルフクラブと平行に保ちながらスイングすることで握りの一体感を体得し、正確なゴルフスイングの習得に役立つゴルフクラブの練習用補助具を提供することを目的とする。【解決手段】本発明は、ゴルフクラブ（１）を着脱自在に装着する取付け部材（３）と、前記ゴルフクラブ（１）と離して前記取付け部材（３）に装着した補助グリップ（２）とから成る。また、前記補助グリップ（２）の上部が前記ゴルフクラブ（１）と平行状態からスイング方向に開くように、前記補助グリップ（２）の下部を前記取付け部材（３）に蝶着させている。【選択図】図１
2008307238.tif 000002
【特許請求の範囲】
【請求項１】
ゴルフクラブ（１）を着脱自在に装着する取付け部材（３）と、前記ゴルフクラブ（１）と離して前記取付け部材（３）に装着した補助グリップ（２）とから成り、且つ、前記補助グリップ（２）の上部が前記ゴルフクラブ（１）と平行状態からスイング方向に開くように、前記補助グリップ（２）の下部を前記取付け部材（３）に蝶着したことを特徴とするゴルフクラブの練習用補助具。
【請求項２】
前記補助グリップ（２）の上部が、前記ゴルフクラブ（１）と平行状態から９０度までスイング方向に開く請求項１記載のゴルフクラブの練習用補助具。
【発明の詳細な説明】
【技術分野】
【０００１】
本発明は、ゴルフクラブをスイングする際に、正しいスイングフォームを習得するための練習具に関し、特には、パターやショートアイアンのスイング（振り）やストローク軌道を正確に矯正できるゴルフクラブの練習用補助具に関するものである。
【背景技術】
【０００２】
従来、ゴルフクラブの正確なスイング及びストロークを練習するために、通常のゴルフクラブに他の補助グリップを装着して正しく練習できるようにしたゴルフ練習具が種々提案されている。
【０００３】
例えば、特開平８−２８０８６７号では、短い補助グリップを、通常のゴルフクラブのシャフトのグリップ近くに、補助グリップの頂端が通常のグリップの頂端よりも低い位置に間隔を置き、両グリップの上端が開くように取り付けた練習用クラブである。
【０００４】
また、特開平９−８４９１５号では、補助グリップが、ゴルフクラブのグリップ部分よりもスイング方向に前方側に平行に取り付け、補助部材を介して取り付けられたゴルフスイング矯正器である。
【０００５】
更に、特開２００６−２２３７４４号では、正副シャフト２本を平行に並べ連結棒部材で連結回動部材を介して連結したゴルフ練習具である。そしてスイング中は正副シャフトが平行に動くものである。
【特許文献１】特開平８−２８０８６７号公報
【特許文献２】特開平９−８４９１５号公報
【特許文献３】特開２００６−２２３７４４号公報
【発明の開示】
【発明が解決しようとする課題】
【０００６】
しかしながら、上記従来のゴルフクラブに補助クラブを装着し、正確なゴルフクラブのスイングを練習するための練習具においては、次のような問題点がある。
【０００７】
先ず、特許文献１のものは、通常のゴルフクラブと補助グリップとが固定されているため、通常のゴルフクラブだけを両手で握ってスイングしたこととあまり変りがない。すなわち、正確なスイングをするためには、スイング中に握った両手を一体的に保つことが重要であり、初めから補助グリップが動かずに固定されていると、その補助グリップを握った右手は悪いスイングしても位置が変らず、両手の一体感を習得することが難しい。また、補助グリップをゴルフクラブの左側に位置させ、両手をクロスさせて握るため、実際の握りと異なり、正確なスイングを習得するのに無理がある。
【０００８】
特に特許文献２のものは、ゴルフクラブに対し、補助グリップが平行に固定されており、特許文献１と同様な問題点を有している。
【０００９】
また、特許文献３のものは、スイング中に正副シャフトが平行に動くようにしている。このことは実際のスイングでは両手がずれることはなく、握りの一体感を習得するのには無理がある。
【００１０】
本発明は、従来の補助グリップの問題点を解消し、スイング中揺動し易い補助グリップをゴルフクラブと平行に保ちながらスイングすることで握りの一体感を体得し、正確なゴルフスイングの習得に役立つゴルフクラブの練習用補助具を提供することを目的とする。
【００１１】
本発明の他の目的は、ゴルフパターの練習に、パターヘッドの面をグリーンホールに合せ易く、パターのストロークが正確にできるゴルフクラブの練習用補助具を提供するにある。
【課題を解決するための手段】
【００１２】
本発明は、上記課題を解決するために成されたものであり、ゴルフクラブ（１）を着脱自在に装着する取付け部材（３）と、前記ゴルフクラブ（１）と離して前記取付け部材（３）に装着した補助グリップ（２）とから成る。また、前記補助グリップ（２）の上部が前記ゴルフクラブ（１）と平行状態からスイング方向に開くように、前記補助グリップ（２）の下部を前記取付け部材（３）に蝶着させている。
【００１３】
また、本発明では、前記補助グリップ（２）の上部が、前記ゴルフクラブ（１）と平行状態から９０度までスイング方向に開き、その間を前記補助グリップ（２）が揺動自在としたものである。すなわち、補助グリップ（２）は、ゴルフクラブ（１）に対し平行状態から直角状態まで揺動自在に装着させたものである。従って、補助グリップ（２）は、ゴルフクラブ（１）と平行状態からゴルフクラブ（１）側に接近することはないように装着されている。
【００１４】
本発明でいうスイング方向とは、ゴルフボールを打ち出す方向であって、いわゆる打球方向線上のことである。
【発明の効果】
【００１５】
本発明では、補助グリップ（２）が、ゴルフクラブ（１）と平行状態からスイング方向に開くように取付け部材（３）に蝶着させたことにより、ゴルフクラブ（１）と補助グリップ（２）とが、平行状態を保つようにスイングする練習ができ、両手の握りに一体感を持たせたスイングの習得が可能となる。すなわち、本発明の補助グリップ（２）はゴルフクラブ（１）と平行状態から補助グリップ（２）の上部が開く方向に自由に揺動するため、悪いスイングでは補助グリップ（２）が開いた状態となり、両手の握り具合にずれが生じ、一体的な握りにならずミスの原因となる。従って、揺動自在な補助グリップ（２）をゴルフクラブ（１）側に押しながらゴルフクラブ（１）と平行状態を保ち、補助グリップ（２）が開かないようにスイングすることにより、両手の握りに一体感を持たせた正確な練習ができるのである。
【００１６】
また、補助グリップ（２）が、ゴルフクラブ（１）と平行状態から９０度までスイング方向に開くようにしたことにより、ゴルフクラブ（１）のパターを練習する際に、補助グリップ（２）を９０度開いた状態にセットしておくと、パターの面と直角に補助グリップ（２）が後方に伸びているため、パターの面をグリーン上のカップに合せるのに長い補助グリップ（２）の長手方向をカップに向ければ巾の狭いパターの面を合せるのに比べ極めて正確に合せることができ、パターのストロークも補助グリップ（２）の長手方向を目安としてスイングの練習ができ、パターのストロークで最も重要な直線的スイングの習得ができる。
【００１７】
更に、本発明では、パターを練習する際に、補助グリップ（２）を上記した９０度開いた状態での練習と、パターと平行状態での練習が可能となり、平行状態での練習では、平行状態を保つスイングをすることにより、両手の一体感が習得でき、且つ、ストローク方向にパターと補助グリップ（２）とを一直線にスイングする練習ができ、正確なストロークを習得できる。
【発明を実施するための最良の形態】
【００１８】
以下、本発明の実施形態につき、図を基に説明する。図１は本発明の全体斜視図、図２は本発明の取付け部材の正面図、図３は本発明の使用状態を示す説明図、図４は本発明の他の使用状態を示す説明図である。
【００１９】
先ず、図１、２に示すように、（１）は通常のゴルフクラブであり、ウッド，アイアン，パター等のクラブをいうが、特に本発明の練習対象となるクラブは、パターとショートアイアンを主とする。
【００２０】
（２）は補助グリップであり、該補助グリップ（２）は短いシャフト（2a）に皮又はゴム製等のグリップ（2b）を取付けたものである。これは、通常のゴルフクラブ（１）のシャフトをグリップ側で短く切ったものと同等のものである。
【００２１】
（３）は取付け部材であり、該取付け部材（３）は、長方形状の取付け本体（31）と、その取付け本体（31）の一端側に蝶着した板状の挟持部材（32）と、取付け本体（31）の他端側に蝶着した角形の可動片（33）とから成る。
【００２２】
更に、上記取付け部材（３）について説明すると、取付け本体（31）は、一端側を切り欠溝（31a）を形成し、蝶着した挟持部材（32）が閉じた際に、切り欠溝（31a）に丁度収納できるようにしている。また、切り欠溝（31a）内には、先端近くに縦方向のＶ溝（31b）を形成し、先端から離れた中央近くにネジ穴（31c）を形成している。尚、取付け部材（３）の材質としては、金属，プラスチック等であり、特には軽量のアルミ製が好ましい。
【００２３】
前記挟持部材（32）は、その一端側を蝶番（４）で取付け本体（31）に蝶着し、また、挟持部材（32）には、それを閉じた際に、取付け本体（31）のＶ溝（31b）と対向する位置に縦方向のＶ溝（32a）を形成し、取付け本体（31）のネジ穴（31c）と合う位置にバカ穴（32b）を穿設している。
【００２４】
この挟持部材（32）は、ゴルフクラブ（１）を装着する際に開いた状態でもって、ゴルフクラブ（１）のグリップ（1b）に近いシャフト（1a）を取付け本体（31）のＶ溝（31b）に入れてから、挟持部材（32）を閉じると、挟持部材（32）のＶ溝（32a）がシャフト（1a）に嵌り、両Ｖ溝（31b），（32a）でシャフト（1a）を挟持する。更にノブ付きボルト（６）を挟持部材（32）のバカ穴（32b）に挿入し、取付け本体（31）のネジ穴（31c）に螺合し締め付けてゴルフクラブ（１）が取付け部材（３）に装着される。この際に、ゴルフクラブ（１）のヘッドの打撃面は取付け部材（３）の長手方向と直角に装着させるのがよい。
【００２５】
前記可動片（33）は、取付け本体（31）と巾が同じで高さを半分の直角面を有する角形で、その下部の一端を蝶番（５）を介して取付け本体（31）の端面（31d）に蝶着している。また、可動片（33）の上面側には、上面から垂直に突出する補助グリップ（２）を固着させている。この可動片（33）は、その端面が取付け本体（31）の端面（31d）と当接した状態で、取付けたゴルフクラブ（１）と補助グリップ（２）とが平行状態を呈し、この平行状態は、補助グリップ（２）をゴルフクラブ（１）側に押しても保持している。
【００２６】
また、可動片（33）は、９０度倒れた状態で取付け本体（31）の端面（31d）と当接し、それ以上倒れることがなく保持される。従って、この状態では補助グリップ（２）は水平状態を保っている。このように、可動片（33）は９０度の範囲で揺動自在に取付け本体（31）に装着させているのである。
【００２７】
次に図３、４を基に本発明の使用形態を説明する。図３はゴルフスイングのアドレス（打球の構え）状態を示し、左手でゴルフクラブ（１）を握り、右手で補助グリップ（２）を握った状態を示している。この状態では、設定したスイング方向、つまり、打球が打ち出される方向にゴルフクラブ（１）と補助グリップ（２）が一直線になるようにセットすることにより、ゴルフクラブ（１）のヘッドの打球面は、スイング方向と直角にセットされている。この時に、ゴルフクラブ（１）と補助グリップ（２）が離れているため、その両者を結ぶ線上にスイング方向を合せ易く、正確にゴルフクラブ（１）のヘッドの打球面を合せることができる。
【００２８】
そして、スイング中は、右手で握った補助グリップ（２）がゴルフクラブ（１）と平行状態を保ったままスイングすることにより、両手に一体感でもってスイングする練習が習得され、より正確なスイングの練習とする。このスイングの際に、ゴルフクラブ（１）と補助グリップ（２）はスイング方向に合せた状態でスイングすることにより、打球は、正確に設定した方向に打ち出される。
【００２９】
また、スイング中に補助グリップ（２）が揺動すると、両手の三角形が崩れ、悪いスイングとなり、スイングのバランスが崩れて正確な打球とならないため、意識的に補助グリップ（２）を揺動しないようにスイングする練習が可能となり、練習の効果を高める。
【００３０】
図４は、パターの練習状態を示し、これは補助グリップ（２）を水平にセットした状態のアドレスを示したものである。このアドレス状態では、パタークラブの後方で、そのヘッドと直角に延長した補助グリップ（２）でもって、パターヘッドの打球面がホールの方向に一致するように、簡単にパターヘッドの打球面をホールに向けて直角に合せることができる。そして、スイングする際にも、補助グリップ（２）の長手方向のラインに沿って、直線的にスイングすることにより、正確なパッティングが練習できる。そして、前記した補助グリップ（２）を水平位置にした練習と、補助グリップ（２）を垂直にした状態での練習を繰返して行うことにより、より練習効果が高まり、パッティングの効果が増加する。
【００３１】
更に、本発明を使用した練習においては、取付け本体（31）と可動片（33）との間に紙片を差し込み、ゴルフクラブ（１）と補助グリップ（２）を平行状態でスイングすると、スイング中に紙片が落ちる場合には、補助グリップ（２）が開いた状態でスイングしたことになり、悪いスイングの見分けができる。従って、紙片が落ちないようにスイングの練習をすることにより、両手が一体的で正確なスイングを習得できるのである。
【００３２】
尚、本発明の使用状態においては、ゴルフクラブ（１）に対し、補助グリップ（２）をスイング方向の前方に位置させ、右手でゴルフクラブ（１）を、左手で補助グリップ（２）をそれぞれ握って、スイングしてもよい。
【図面の簡単な説明】
【００３３】
【図１】本発明の全体斜視図である。
【図２】本発明の取付け部材の正面図である。
【図３】本発明の使用状態の説明図である。
【図４】本発明の他の使用状態を示す説明図である。
【符号の説明】
【００３４】
１  ゴルフクラブ
２  取付け部材
３  補助グリップ
【図１】
2008307238.tif 000003
【図２】
2008307238.tif 000004
【図３】
2008307238.tif 000005
【図４】
2008307238.tif 000006